(57)【要約】【課題】ＣＤＭＡ信号の各時間位置における各チャネルの信号解析を容易にする。【解決手段】被測定信号ａの所定期間ＴA内の経時特性２１における指定された単位時間ＴB領域に対応する被測定信号のチップデータＩ、Ｑを、チャネル毎の拡散ファクターに対応する拡散コードで逆拡散することによって、各チャネルのシンボルデータを得る。チャネル解析部２７、２８、３０、３２、３３、３４で、各チャネルのコード・ドメインパワー、変調方式、コンスタレーションを解析し、解析結果を解析結果メモリ２９に書込む。各チャネルのコード・ドメインパワーをパワー特性３５と表示器２０に表示する。さらに、表示されたパワー特性における操作指定されたチャネルのコンスタレーション３１を解析結果メモリから読出して表示器にグラフィック表示する。【選択図】      図１
2006060477.tif 000002
【特許請求の範囲】
【請求項１】
入力された被測定信号であるＣＤＭＡ信号の各拡散ファクターの各チャネルにおけるコンスタレーションを表示するＣＤＭＡ信号解析装置において、
前記被測定信号の所定時間内の振幅又は周波数に関する経時特性（２１）と、前記経時特性において単位時間領域を指定する時間マーカ（２２）と、前記時間マーカで指定され単位時間領域に対応する前記各チャネルのコード・ドメインパワーを示すパワー特性（３５）と、前記パワー特性においてチャネルを指定するチャネルマーカ（３６）と、前記チャネルマーカで指定されたチャネルのコンスタレーション（３１）とを表示する手段を備えたことを特徴とするＣＤＭＡ信号解析装置。
【請求項２】
入力された被測定信号であるＣＤＭＡ信号の各拡散ファクターの各チャネルにおけるコンスタレーションを解析するＣＤＭＡ信号解析方法において、
前記被測定信号の所定時間内の振幅又は周波数に関する経時特性（２１）を表示するステップ（Ｓ１、Ｓ３）と、
前記表示された経時特性において単位時間領域を指定するステップ（Ｓ４）と、
前記指定された単位時間領域に対応する前記各チャネルのコード・ドメインパワーをパワー特性（３５）として表示するステップ（Ｓ６）と、
前記パワー特性においてチャネルを指定するステップ（Ｓ７）と、
前記指定されたチャネルのコンスタレーションを解析し表示するステップ（Ｓ８）と
を備えたことを特徴とするＣＤＭＡ信号解析方法。
【請求項３】
入力された被測定信号であるＣＤＭＡ信号の各拡散ファクターの各チャネルにおける信号を解析するＣＤＭＡ信号解析装置において、
前記入力された被測定信号の所定期間内の振幅又は周波数に関する経時特性を求めて表示器にグラフィック表示する経時特性測定手段（１７、１８、１９）と、
前記入力された被測定信号からフレーム同期がとれたチップデータを作成する入力処理部（６）と、
前記グラフィック表示された経時特性における操作指定された単位時間領域に対応する前記入力処理部から出力されたチップデータを、チャネル毎の拡散ファクターに対応する拡散コードで逆拡散することによって、各チャネルのシンボルデータを順次抽出するシンボルデータ抽出部（２５）と、
このシンボルデータ抽出部で順次抽出される各チャネルのシンボルデータに基づいて、少なくとも各チャネルのコード・ドメインパワー、変調方式、コンスタレーションを解析するチャネル解析部（２７、２８、３０、３２、３３、３４）と、
このチャネル解析部で解析された各チャネルのコード・ドメインパワー、変調方式、コンスタレーションを含む解析結果を記憶する解析結果メモリ（２９）と、
この解析結果メモリに記憶された各チャネルのコード・ドメインパワーをパワー特性（３５）として前記表示器にグラフィック表示するパワー特性表示手段（１９）と、
前記表示器に表示されたパワー特性における操作指定されたチャネルのコンスタレーション（３１）を前記解析結果メモリから読出して前記表示器にグラフィック表示するコンスタレーション表示手段（１９）と
を備えたことを特徴とするＣＤＭＡ信号解析装置。
【請求項４】
前記経時特性は振幅誤差特性又は周波数誤差特性の経時特性であり、経時特性測定手段は、前記入力処理部から出力されたチップデータから前記被測定信号の経時特性を求めることを特徴とする請求項３記載のＣＤＭＡ信号解析装置。
【請求項５】
前記経時特性、前記パワー特性、前記コンスタレーションは前記表示器における互いに異なる領域に同時に表示されることを特徴とする請求項３又は４記載のＣＤＭＡ信号解析装置。
【請求項６】
前記チャネル解析部は、各チャネルのコード・ドメインパワー、変調方式、コンスタレーションの他に、各チャネルの変調精度、位相誤差、オフセット量を解析し、
前記解析結果メモリは、各チャネルのコード・ドメインパワー、変調方式、コンスタレーションの他に、各チャネルの変調精度、位相誤差、オフセット量をも解析結果として記憶し、
前記表示器に表示されたパワー特性における操作指定されたチャネルの変調方式、変調精度、位相誤差、オフセット量を含む各特性値を前記解析結果メモリから読出して前記表示器に表示する特性値表示手段を
備えたことを特徴とする請求項３から５のいずれか１項記載のＣＤＭＡ信号解析装置。
【発明の詳細な説明】
【技術分野】
【０００１】
本発明は入力された被測定信号であるＣＤＭＡ信号の各拡散ファクターの各チャネルにおける信号を解析するＣＤＭＡ信号解析装置、及びＣＤＭＡ信号解析方法に関する。
【背景技術】
【０００２】
第３世代の移動通信システムにおける無線通信方式の一つとして、Ｗ―ＣＤＭＡ（Wideband Code Division Multiple Access  広帯域符号分割多元接続）が提唱されている。この通信方式を用いる場合、基地局と移動局（携帯電話）との間で送受される信号内には、Ｗ―ＣＤＭＡの通信規格（３ＧＰＰ）に従って送受信される多数のデータが多重化されて組込まれている。
【０００３】
図１０に、Ｗ―ＣＤＭＡにおける送信側の各送信データＤ０〜Ｄｎの多重化手法を示す。各送信データＤ０〜Ｄｎは、コード拡散部１においてそれぞれ異なる拡散コード（直交可変拡散符号）ｗ０〜ｗｎでコード拡散されたのち、加算器２で加算された後、乗算器３にてスクランブルコードが乗算されて、３．８４ＭHzのチップ（chip）データとして高周波回路で高周波信号に変換されて電波出力される。
【０００４】
次に、コード拡散部１において各送信データＤ０〜Ｄｎを拡散する拡散コードの構成を図１１を用いて説明する。このＣＤＭＡ方式の拡散コードは図示するようにツリー構造に構成されており、拡散コード４の拡散コード長４、８、１６、３２、６４、１２８、２５６、５１２に応じてそれぞれ拡散ファクター（Spreading Factor）５（ＳＦ４、ＳＦ８、ＳＦ１６、ＳＦ３２、ＳＦ６４、ＳＦ１２８、ＳＦ２５６、ＳＦ５１２）が定義されている。なお、図１１においては、ＳＦ３２〜ＳＦ５１２の各拡散ファクター５は省略されている。
【０００５】
それぞれの拡散ファクター５には、所属する拡散コード４の拡散コード長分の拡散コード４が割付られている。例えば、拡散ファクターＳＦ８には、チャネルＣＨ０〜ＣＨ７のそれぞれ符号長を８で構成する合計８個の拡散コード４が一定法則に従って割付られている。
【０００６】
Ｗ―ＣＤＭＡにおいて送信側から出力されるデータの伝送速度は固定（３．８４Ｍcpsであり、１フレーム長（時間）も固定（１０ｍｓ）であるので、この１フレームに含まれるチップデータ数も一定（＝３８４００）である。したがって、送信側において、送信すべきデータの数と、データ（情報）の種類（英数データ、音声、画像ｅｔｃ）によって、採用する拡散コード４の符号長（拡散ファクター５）を選択設定する。
【０００７】
この場合、選択された拡散コード４から分岐した（枝分かれした）下位の拡散ファクター５に所属する全部の拡散コード４、及び選択された拡散コード４の上位の系列の各拡散コード４は選択禁止となる。これは、自己の拡散コード４と自己から枝分かれした下位の拡散ファクター５の拡散コード４又は自己の上位の系列の拡散コード４とが同時に選択されると、逆拡散した場合に、どの拡散コード４で拡散された送信データであるかの区別が付かないからである。
【０００８】
したがって、このツリー構造に構成された拡散コード群におけるコード拡散部１に採用可能な拡散コード４の最大数は５１２となる。
【０００９】
Ｗ―ＣＤＭＡにおける送信側の各送信データＤ０〜ＤｎはＱＰＳＫ（Quadrature phase shift keying ４位相偏移変調）の変調方式で変調されている。さらに、近年、このＷ―ＣＤＭＡを基礎として、パケット通信速度を上昇させた第３．５世代の移動通信システム（３．５Ｇ）のＨＳＤＰＡ（High Speed Downlink Packet Access）の規格が検討されている。このＨＳＤＰＡにおいては、各送信データＤ０〜ＤｎはＱＰＳＫの他に１６ＱＡＭ（Quadrature amplitude modulation）の変調方式が採用可能である。
【００１０】
したがって、このようなＷ―ＣＤＭＡの無線通信方式を採用した移動通信システムおける基地局から各移動局（携帯電話）へ送信される電波の信号が上述した規格を満たしていることを試験する必要がある。
【００１１】
なお、特許文献１には、ＣＤＭＡ信号における各チャネルのコード・ドメインパワーを求めて、基地局側で各送信データが割付られた（採用した）チャネルを特定する技術が開示されている。
【特許文献１】特開２０００―３６８０２号公報
【発明の開示】
【発明が解決しようとする課題】
【００１２】
したがって、Ｗ―ＣＤＭＡの規格を採用した第３世代の移動通信システムやＨＳＤＰＡの規格を採用した第３．５世代の移動通信システムにおける基地局から各移動局（携帯電話）へ送信される電波の信号が上述した規格を満たしていることを簡単に検証できるＣＤＭＡ信号解析装置の開発が望まれている。
【００１３】
また、ＣＤＭＡ信号の各チャネルの特性値は、このＣＤＭＡ信号全体の振幅誤差や周波数誤差に応じて、大きく変動すると考えられるが、この振幅誤差や周波数誤差の各チャネルの特性に与える影響度を把握することも、ＣＤＭＡ信号の品質管理上で非常に重要である。
【００１４】
本発明は、このような事情に鑑みてなされたものであり、入力された被測定信号における所定期間内の経時特性における指定した時間領域の各チャネルにおける信号の解析が簡単に実施でき、かつ各チャネルの信号解析結果を表示画面上で簡単に選択して閲覧でき、操作性を大幅に向上できるＣＤＭＡ信号解析装置及びＣＤＭＡ信号解析方法を提供することを目的とする。
【課題を解決するための手段】
【００１５】
本発明は、入力された被測定信号であるＣＤＭＡ信号の各拡散ファクターの各チャネルにおけるコンスタレーションを表示するＣＤＭＡ信号解析装置である。
【００１６】
そして、このＣＤＭＡ信号解析装置は、被測定信号の所定時間内の振幅又は周波数に関する経時特性と、経時特性において単位時間領域を指定する時間マーカと、時間マーカで指定され単位時間領域に対応する各チャネルのコード・ドメインパワーを示すパワー特性と、パワー特性においてチャネルを指定するチャネルマーカと、チャネルマーカで指定されたチャネルのコンスタレーションとを表示する。
【００１７】
さらに、本発明のＣＤＭＡ信号解析方法においては、被測定信号の所定時間内の振幅又は周波数に関する経時特性を表示するステップと、表示された経時特性において単位時間領域を指定するステップと、指定された単位時間領域に対応する各チャネルのコード・ドメインパワーをパワー特性として表示するステップと、パワー特性においてチャネルを指定するステップと、指定されたチャネルのコンスタレーションを解析し表示するステップとを備えている。
【００１８】
さらに、本発明は、入力された被測定信号であるＣＤＭＡ信号の各拡散ファクターの各チャネルにおける信号を解析するＣＤＭＡ信号解析装置に適用される。
【００１９】
そして、上記課題を解消するために、本発明のＣＤＭＡ信号解析装置においては、入力された被測定信号の所定期間内の振幅又は周波数に関する経時特性を求めて表示器にグラフィック表示する経時特性測定手段と、入力された被測定信号からフレーム同期がとれたチップデータを作成する入力処理部と、グラフィック表示された経時特性における操作指定された単位時間領域に対応する入力処理部から出力されたチップデータを、チャネル毎の拡散ファクターに対応する拡散コードで逆拡散することによって、各チャネルのシンボルデータを順次抽出するシンボルデータ抽出部と、このシンボルデータ抽出部で順次抽出される各チャネルのシンボルデータに基づいて、少なくとも各チャネルのコード・ドメインパワー、変調方式、コンスタレーションを解析するチャネル解析部と、チャネル解析部で解析された各チャネルのコード・ドメインパワー、変調方式、コンスタレーションを含む解析結果を記憶する解析結果メモリと、この解析結果メモリに記憶された各チャネルのコード・ドメインパワーをパワー特性として表示器にグラフィック表示するパワー特性表示手段と、表示器に表示されたパワー特性における操作指定されたチャネルのコンスタレーションを解析結果メモリから読出して表示器にグラフィック表示するコンスタレーション表示手段とを備えている。
【００２０】
このように構成されたＣＤＭＡ信号解析装置においては、入力された被測定信号の所定期間内の振幅又は周波数に関する経時特性が求められて表示器にグラフィック表示される。
【００２１】
操作者（測定者）は、この表示された経時特性の測定しようとする単位時間領域を指定すると、指定された単位時間領域に対応する入力処理部から出力されたチップデータを、チャネル毎の拡散ファクターに対応する拡散コードで逆拡散することによって、各チャネルのシンボルデータが得られる。このシンボルデータに基づいて、各チャネルの信号に対して、コード・ドメインパワー、変調方式、コンスタレーション等の解析が実施可能である。
【００２２】
このチャネル解析部で解析された各チャネルのコード・ドメインパワー、変調方式、コンスタレーションを含む解析結果は解析結果メモリに書込まれる。この解析結果メモリに書込まれた各チャネルのコード・ドメインパワーは表示器の表示画面にパワー特性としてグラフィック表示される。そして、例えば操作者が表示されたパワー特性の任意のチャネルを指定すると、指定されたチャネルのコンスタレーションが表示器にグラフィック表示される。
【００２３】
したがって、このＣＤＭＡ信号解析装置の操作者は、入力された被測定信号における所定期間内の経時特性における指定した時間領域の各チャネルにおける信号の解析が簡単に実施でき、かつ各チャネルの信号解析結果を表示画面上で簡単に選択して閲覧できる。すなわち、ＣＤＭＡ信号の解析を時間軸及びチャネルの両方を指定して実施できる。
【００２４】
また、別の発明は、上述した発明のＣＤＭＡ信号解析装置において、経時特性として振幅誤差特性又は周波数誤差特性を採用しており、経時特性測定手段は、入力処理部から出力されたチップデータから被測定信号の経時特性を求めるようにしている。
【００２５】
さらに、別の発明は、上述した発明のＣＤＭＡ信号解析装置において、経時特性、パワー特性、コンスタレーションは表示器における互いに異なる領域に同時に表示される。したがって、操作者は、表示器上でＣＤＭＡ信号における代表的な３つの特性を同時に確認できる。
【００２６】
さらに、別の発明は、上述した発明のＣＤＭＡ信号解析装置において、チャネル解析部は、各チャネルのコード・ドメインパワー、変調方式、コンスタレーションの他に、各チャネルの変調精度、位相誤差、オフセット量を解析する。また、解析結果メモリは、各チャネルのコード・ドメインパワー、変調方式、コンスタレーションの他に、各チャネルの変調精度、位相誤差、オフセット量をも解析結果として記憶する。そして、表示器に表示されたパワー特性における操作指定されたチャネルの変調方式、変調精度、位相誤差、オフセット量を含む各特性値を解析結果メモリから読出して表示器に表示する特性値表示手段を備えている。
【００２７】
このように構成されたＣＤＭＡ信号解析装置においては、各チャネルの変調精度、位相誤差、オフセット量をも解析されて表示器に自動的に表示される。
【発明の効果】
【００２８】
本発明においては、入力された被測定信号の所定期間内の経時特性を測定して表示し、経時特性の指定した時間領域の各チャネルにおける信号の解析を実施している。そして、かつ信号解析結果を表示すべきチャネルを指定可能としている。
【００２９】
したがって、ＣＤＭＡ信号の解析を時間軸及びチャネルの両方を指定して実施でき、操作性を大幅に向上できる。
【発明を実施するための最良の形態】
【００３０】
以下、本発明の一実施形態を図面を用いて説明する。
【００３１】
図１は本発明の一実施形態に係るＣＤＭＡ信号解析方法が適応されるＣＤＭＡ信号解析装置の概略構成を示すブロック図である。
【００３２】
この実施形態のＣＤＭＡ信号解析装置には、基地局から出力されたＨＳＤＰＡの通信方式を採用した被測定信号ａが入力される。このＨＳＤＰＡの通信方式を採用した被測定信号ａは、図１０で説明したように、ＱＰＳＫ又は１６ＱＡＭの変調方式で変調された例えば各送信データＤ０〜Ｄｎをコード拡散部１において、それぞれ図１１で示した規格を有する各拡散コード４でコード拡散されて、加算器２で加算され、スクランブルコードで再度拡散され、搬送波周波数に周波数変換されて、基地局から出力された一つの信号である。
【００３３】
ＣＤＭＡ信号解析装置に入力された被測定信号ａは、入力処理部６内の周波数変換部７で局部発振部（ＬＯＯＳＣ）８からの周波数信号に基づいて中間周波数に周波数変換された後、Ａ／Ｄ変換部９でＡ／Ｄ変換される。Ａ／Ｄ変換されたデジタルの被測定信号ａはＩ、Ｑ分離部１０でＩ（同相）成分とＱ（直交）成分とに直交復調され、検波部１１へ入力される。検波部１１はＩ成分とＱ成分とをクロック抽出部２で抽出したクロックでチップ単位のデータＩ、Ｑへ検波して次の周波数補正部１３へ送出する。
【００３４】
周波数補正部１３は、キャリア抽出部１４で抽出されたキャリアを用いて、先に中間周波数に変換した時点における周波数誤差を修正する。周波数誤差が修正されたチップ単位のデータＩ、Ｑは、次のスクランブル同期部１５でデスクランブルコードを乗算することにより、スクランブルが解除され、この入力処理部６からフレーム同期がとれた新たなチップデータＩ、Ｑとして、データメモリ１６へ順次書込まれる。
【００３５】
データメモリ１６内には、被測定信号ａにおける所定期間ＴA分のチップデータＩ、Ｑが記憶される。振幅誤差算出部１７は、データメモリ１６内に記憶されている所定期間ＴA分のチップデータＩ、Ｑから被測定信号ａにおける経時特性としての図２（ａ）に示す振幅誤差特性を算出する。周波数誤差算出部１８は、キャリア抽出部１４で抽出されたキャリアを用いて、データメモリ１６内に記憶されている所定期間ＴA分のチップデータＩ、Ｑに変換された被測定信号ａにおける経時特性としての周波数補正前の図２（ｂ）に示す周波数誤差特性を算出する。
【００３６】
算出された振幅誤差特性及び周波数誤差特性は、表示編集部１９を介して図６に示す表示器２０に経時特性２１としてグラフィック表示される。表示器２０にグラフィック表示された所定期間ＴA分の経時特性２１内には、単位時間幅（領域）ＴBを有する時間マーカ２２が表示されている。この時間マーカ２２は操作者が操作部２３で時間軸方向へ任意に移動可能である。
【００３７】
この時間マーカ２２で指定された単位時間幅（領域）ＴBは解析区間選択部２４へ入力される。解析区間選択部２４は、データメモリ１６内に記憶されている所定期間ＴA分のチップデータＩ、Ｑのうち、時間マーカ２２で指定された単位時間幅（領域）ＴB分のチップデータＩ、Ｑをフレーム単位で選択してシンボルデータ抽出部２５へ送出する。
【００３８】
シンボルデータ抽出部２５は、単位時間幅（領域）ＴB分のチップデータＩ、Ｑをフレームの先頭位置から順番に取出して、拡散コード設定部２６から入力された拡散コード４で逆拡散することによって、該当拡散コード４に対応する拡散ファクター５のチャネル（ＣＨ／ＳＦ）の新たなシンボルデータＩ、Ｑを抽出して、それぞれコード・ドメインパワー算出部２７、変調方式判定部２８へ送出する。
【００３９】
コード・ドメインパワー算出部２７は、入力された単位時間幅（領域）ＴB分のシンボルデータＩ、Ｑのパワー（コード・ドメインパワー）Ｐを算出して拡散コード設定部２６、変調方式判定部２８へ送出する。拡散コード設定部２６は、コード・ドメインパワー算出部２７から新たにコード・ドメインパワーＰが出力される毎に、図１１で定義された各拡散ファクター５の各チャネル（ＣＨ／ＳＦ）の拡散コード４を順番にシンボルデータ抽出部２５へ送出する。
【００４０】
変調方式判定部２８は、現在のチャネル（ＣＨ／ＳＦ）における信号の有無、信号有りの場合における信号の変調方式がＱＰＳＫであるか１６ＱＡＭであるかを判定する。具体的には、現在のチャネル（ＣＨ／ＳＦ）が信号有りで、かつ、現在チャネル（ＣＨ／ＳＦ）のシンボルデータＩ、Ｑの分散値と、枝先チャネルのシンボルデータＩ、Ｑの分散値との関係に基づいて、現在のチャネル（ＣＨ／ＳＦ）における信号のＱＰＳＫか１６ＱＡＭかの変調方式を判定する。
【００４１】
変調方式判定部２８は、現在のチャネル（ＣＨ／ＳＦ）における信号の有無、信号有りの場合における信号の変調方式を解析結果メモリ２９へ書込む。変調方式判定部２８は、現在のチャネル（ＣＨ／ＳＦ）における信号の変調方式をコンスタレーション算出部３０へ送出する。コンスタレーション算出部３０は、変調方式に対応する図３（ａ）に示す各シンボルデータＩ、ＱをＩＱ座標上に示したコンスタレーション３１を算出する。コンスタレーション算出部３０は、算出したコンスタレーション３１を解析結果メモリ２９へ書込むとともに、変調精度算出部３２、オフセット量算出部３３、及び位相誤差算出部３４へ送出する。
【００４２】
変調精度算出部３２は、図３（ｂ）に示すように、測定（算出）したコンスタレーション３１における各象限における各シンボルデータＩ、Ｑの合成点（測定点）のばらつきの程度を示す変調精度（ＥＶＭ）を算出して、解析結果メモリ２９へ書込む。
【００４３】
オフセット量算出部３３は、図３（ｃ）に示すように、算出（測定）されたコンスタレーション３１のＩＱ座標の原点Ｏと、論理的なコンスタレーションのＩＱ座標の原点Ｏ’との間の距離を示すオフセット量を算出して、解析結果メモリ２９へ書込む。
【００４４】
位相誤差算出部３４は、図３（ｃ）に示すように、算出（測定）されたコンスタレーション３１における各シンボルデータＩ、Ｑの合成点（測定点）と、論理的なコンスタレーションにおける各シンボルデータＩ、Ｑの合成点（論理点）との間の位相誤差を算出して、解析結果メモリ２９へ書込む。
【００４５】
したがって、解析結果メモリ２９内には、図４に示すように、ＳＦ４〜ＳＦ５１２の各拡散ファクター（ＳＦ）５の各チャネル（ＣＨ）毎に、信号の有無、信号有りの場合におけるＱＰＳＫ又は１６ＱＡＭの変調方式、コード・ドメインパワーＰ（信号パワー又は雑音パワー）、変調方式がある場合におけるシンボルデータＩ、Ｑの各値、変調方式がある場合における変調方式のコンスタレーション、変調精度、オフセット量、位相誤差等が記憶されている。
【００４６】
表示編集部１９は、解析結果メモリ２９内から各チャネルのコード・ドメインパワーＰを読出して、図６に示すように、表示器２０の表示画面の下部にパワー特性３５としてグラフィック表示する。
【００４７】
このパワー特性３５の詳細を図５に示す。図示するように、このパワー特性３５においては、横軸にコード・ドメインパワーＰが測定されたチャネルを示し、縦軸に測定されたチャネルのコード・ドメインパワーＰのレベルを示す。幅の広いチャネルほど、図１１に示すツリー状に構成された拡散ファクター（ＳＦ）における上位の拡散ファクター（ＳＦ）に所属するチャネル（ＣＨ）であることを示す。この例においては、ＳＦ４のＣＨ１（１／４と表記する）のチャネル（１／４）が最も広い。逆にＳＦ５１２のＣＨ０（０／５１２と表記する）のチャネル（０／５１２）が最も狭い。さらに、チャネル（０／５１２）のコード・ドメインパワーＰのレベルは、パワーしきい値より小さいので、このチャネル（０／５１２）は信号無しである。また、チャネル（１／４）のコード・ドメインパワーＰのレベルは、パワーしきい値より大きいので、このチャネル（１／４）は信号有りである。
【００４８】
なお、この例においては、信号有り状態の使用チャネルの数は４４である。
【００４９】
図６に示すように、表示器２０に表示されたパワー特性３５には、チャネルＣＨ／ＳＦを表示画面上で選択するためのチャネルマーカ３６が表示される。このチャネルマーカ３６の位置は、操作者がキーボード等の操作部２３を操作して任意のチャネル位置へ移動させることが可能である。
【００５０】
チャネル選択部３５は、チャネルマーカ３６で指定されたチャネルＣＨ／ＳＦの信号の有無、信号有りの場合におけるＱＰＳＫ又は１６ＱＡＭの変調方式、コード・ドメインパワーＰ（信号パワー又は雑音パワー）、変調方式がある場合におけるシンボルデータＩ、Ｑの各値、変調方式がある場合における変調方式のコンスタレーション、変調精度、オフセット量、位相誤差等の解析結果を読出して、図６に示すように、表示器２０に表示出力する。
【００５１】
その結果、表示器２０には、前述した経時特性２１、指定チャネルＣＨ／ＳＦのコンスタレーション３１、パワー特性３５、指定チャネルＣＨ／ＳＦの、チャネルＣＨ／ＳＦ、信号の有無、変調方式、コード・ドメインパワー、シンボルデータＩ、Ｑの各値、変調精度、オフセット量、位相誤差等の特性値３８が同時に表示される。
【００５２】
図６は、チャネル（６／１６）が指定された状態を示し、このチャネル（６／１６）は信号有りで、変調方式はＱＰＳＫであることを示す。また、図７は、チャネル（５／１６）が指定された状態を示し、このチャネル（５／１６）は信号有りで、変調方式は１６ＱＡＭであることを示す。さらに、図８は、チャネル（０／５１２）が指定された状態を示し、このチャネル（０／５１２）は信号無しであり、通信に使用されていない。よって、変調方式、変調解析結果（コンスタレーション）３１は表示されていなくて、コード・ドメインパワーＰの値は雑音パワーの値を示す。
【００５３】
このような構成のＣＤＭＡ信号解析装置の全体動作を図９の流れ図を用いて説明する。
【００５４】
被測定信号ａが入力され、データメモリ１６に、被測定信号ａにおける所定期間ＴA分のチップデータＩ、Ｑが書込まれると、振幅誤差算出部１７にて、振幅誤差特性を算出して、表示器２０に経時特性２１として表示出力する（ステップＳ１）。操作部２３から周波数切換指示が入力されると（Ｓ２）、周波数誤差算出部１８にて、周波数誤差特性を算出して、表示器２０に経時特性２１として表示出力する（Ｓ３）。
【００５５】
時間マーカ２２で経時特性２１上における単位時間幅（領域）ＴBが指定されると（Ｓ４）、この指定された単位時間幅（領域）ＴB分の被測定信号ａのチップデータＩ、Ｑを用いて、指定された単位時間幅（領域）ＴB（測定領域）における各チャネルの解析を実行し、各チャネルの解析結果を解析結果メモリ２９へ書込む（Ｓ５）。そして、各チャネルのコード・ドメインパワーをパワー特性３５として、表示器２０に表示出力する（Ｓ６）。
【００５６】
パワー特性３５上においてチャネルマーカ３６で一つのチャネルＣＨ／ＳＦが指定されると、指定されたチャネルＣＨ／ＳＦのコンスタレーション３１及び各特性値３８を表示器２０に表示出力する（Ｓ８）。そして、チャネルマーカ３６で次のチャネルＣＨ／ＳＦが指定されるのを待つ（Ｓ７）。
【００５７】
Ｓ７にて、チャネルマーカ３６で次のチャネルＣＨ／ＳＦが指定されずに、Ｓ４にて、時間マーカ２２で経時特性２１上における次の単位時間幅（領域）ＴBが指定されると、この指定された単位時間幅（領域）ＴBにおける各チャネルの解析を実行する。
【００５８】
そして、Ｓ９にて、操作部２３にて表示終了操作が実施されると、今回入力された被測定信号ａに対する解析操作を終了する。
【００５９】
このように構成されたＣＤＭＡ信号解析装置においては、このＣＤＭＡ信号解析装置に入力された被測定信号ａの所定期間内ＴAの振幅誤差特性又は周波数誤差特性に関する経時特性２１が求められて表示器２１にグラフィック表示される。操作者（測定者）は、この表示された経時特性２１における例えば特性不良時間等の測定しようとする単位時間ＴB領域を時間マーカ２２で指定すると、被測定信号ａにおける指定された単位時間ＴB領域における各チャネルの解析が自動実行され、解析結果が解析結果メモリ２９へ書込まれる。同時に各チャネルのコード・ドメインパワーはパワー特性３５として表示される。
【００６０】
そして、操作者が表示されたパワー特性３５の任意のチャネルをチャネルマーカ３６で指定すると、指定されたチャネルのコンスタレーション３１及び各特性値３８が表示器２０に表示される。
【００６１】
したがって、このＣＤＭＡ信号解析装置の操作者は、入力された被測定信号ａにおける所定期間ＴA内の経時特性２１における指定した時間領域ＴBの各チャネルにおける信号の解析が簡単に実施でき、かつ各チャネルの信号解析結果を表示画面上で簡単に選択して閲覧できる。すなわち、ＣＤＭＡ信号の解析を時間軸及びチャネルの両方を指定して実施できる。
【図面の簡単な説明】
【００６２】
【図１】本発明の一実施形態に係るＣＤＭＡ信号解析装置の概略構成を示すブロック図
【図２】同実施形態のＣＤＭＡ信号解析装置で測定された経時特性を示す図
【図３】同実施形態のＣＤＭＡ信号解析装置で測定されたコンスタレーション及び特性値を示す図
【図４】同実施形態のＣＤＭＡ信号解析装置に設けられた解析結果メモリの記憶内容を示す図
【図５】同実施形態のＣＤＭＡ信号解析装置で解析されたパワー特性を示す図
【図６】同実施形態のＣＤＭＡ信号解析装置の表示器に表示されたパワー特性、コンスタレーション、経時特性及び特性値を示す図
【図７】同じく同実施形態のＣＤＭＡ信号解析装置の表示器に表示されたパワー特性、コンスタレーション、経時特性及び特性値を示す図
【図８】同じく同実施形態のＣＤＭＡ信号解析装置の表示器に表示されたパワー特性、コンスタレーション、経時特性及び特性値を示す図
【図９】同実施形態のＣＤＭＡ信号解析装置における全体動作を示す流れ図
【図１０】一般的なＷ−ＣＤＭＡにおける送信側の各送信データの多重化手法を示す図
【図１１】ツリー構造に設定された拡散ファクターと各チャネルにおける拡散コードとの関係を示す図
【符号の説明】
【００６３】
１…コード拡散部、４…拡散コード、５…拡散ファクター、６…入力処理部、７…周波数変換部、９…Ａ／Ｄ変換部、１４…キャリア抽出部、１５…スクランブル同期部、１６…データメモリ、１７…振幅誤差算出部、１８…周波数誤差算出部、１９…表示編集部、２０…表示器、２１…経時特性、２２…時間マーカ、２３…操作部、２４…解析区間選択部、２５…シンボルデータ抽出部、２６…拡散コード設定部、２７…コード・ドメインパワー算出部、２８…変調方式判定部、２９…解析結果メモリ、３０…コンスタレーション算出部、３１…コンスタレーション、３２…変調誤差算出部、３３…オフセット量算出部、３４…位相誤差算出部、３５…パワー特性、３６…チャネルマーカ、３７…チャネル選択部、３８…特性値
【図１】
2006060477.tif 000003
【図２】
2006060477.tif 000004
【図３】
2006060477.tif 000005
【図４】
2006060477.tif 000006
【図５】
2006060477.tif 000007
【図６】
2006060477.tif 000008
【図７】
2006060477.tif 000009
【図８】
2006060477.tif 000010
【図９】
2006060477.tif 000011
【図１０】
2006060477.tif 000012
【図１１】
2006060477.tif 000013